(57)【要約】【課題】各ＬＥＤの配列個数を低減させながらも、感光体表面に照射される光量のムラを低減させることができ、かつ感光体表面に照射される光量の低下を抑えることが可能な除電装置を提供する。【解決手段】凹レンズ部８３ｃは、各ＬＥＤ８２の出射光を発散してから感光体ドラム１３表面に入射させる。このため、各ＬＥＤ８２の出射光が照射される感光体ドラム１３表面のそれぞれの照射領域Ｊが広がり、感光体ドラム１３表面が概ね均一な光量で照明され、感光体ドラム１３表面を略一様に除電することができる。これにより、感光体ドラム１３表面の電荷ムラを抑えて、感光体ドラム１３表面の電位分布を略一様にすることができ、感光体ドラム１３表面に形成されるトナー像の濃度ムラの発生を抑制することができる。【選択図】図５
2013164964.tif 000002
【特許請求の範囲】
【請求項１】
配列された複数のＬＥＤを備え、前記各ＬＥＤの出射光を感光体に照射する除電装置であって、
前記各ＬＥＤを覆うカバー部材を備え、
前記カバー部材は、前記各ＬＥＤの間を仕切るそれぞれの仕切り部と、前記各ＬＥＤから前記感光体への光路に配されたそれぞれの凹レンズ部とを有することを特徴とする除電装置。
【請求項２】
請求項１に記載の除電装置であって、
前記各ＬＥＤから出射され前記各凹レンズ部を透過して前記感光体に照射されたそれぞれの光の照射領域が、互いに重なり合うことを特徴とする除電装置。
【請求項３】
請求項１又は２に記載の除電装置であって、
前記各凹レンズ部の光入射面及び光出射面には、それぞれの凹レンズが形成されたことを特徴とする除電装置。
【請求項４】
請求項１〜３のいずれか１つに記載の除電装置と、前記除電装置における前記各ＬＥＤから出射され前記各凹レンズ部を透過したそれぞれの光が照射されて除電される感光体とを備えたことを特徴とする画像形成装置。
【発明の詳細な説明】
【技術分野】
【０００１】
本発明は、光を感光体に照射して、感光体を除電する除電装置及びそれを備えた画像形成装置に関する。
【背景技術】
【０００２】
この種の画像形成装置としては、例えば電子写真方式のものがある。この方式の画像形成装置においては、感光体表面の電荷を一旦除去してから、感光体表面を均一に帯電し、光ビームにより感光体表面を走査して、静電潜像を感光体表面に形成し、感光体表面の静電潜像を現像して、感光体表面にトナー像を形成し、トナー像を感光体から記録用紙に転写し、記録用紙を加熱及び加圧して、トナー像を記録用紙上に定着させている。
【０００３】
感光体表面の電荷の除去は、除電装置により行われる。この除電装置は、光照射により感光体表面の電荷を除去するものであって、その光源として蛍光灯などの放電管やＬＥＤアレイが用いられ、近年は、小型化とコスト節減のためにＬＥＤアレイが多用されている。
【０００４】
ところが、ＬＥＤアレイを用いる場合は、ＬＥＤアレイの各ＬＥＤの光軸方向で光強度が最も高くなり、各ＬＥＤの光軸方向から外れる程光強度が低下して行くことから、感光体表面に照射される光量にムラが生じ易く、これが感光体表面の電荷ムラの原因となる。このため、図６に示すようにＬＥＤアレイの各ＬＥＤ１０１の配列個数を増やして、感光体表面に照射される光量のムラを低減させている。
【０００５】
また、特許文献１では、ＬＥＤアレイの各ＬＥＤの光出射側に光拡散板を設置し、各ＬＥＤの出射光を光拡散板で拡散してから感光体表面に入射させて、感光体表面に照射される光量のムラを低減させている。
【先行技術文献】
【特許文献】
【０００６】
【特許文献１】特開平０４−２８４４８４号公報
【発明の概要】
【発明が解決しようとする課題】
【０００７】
しかしながら、図６に示すようにＬＥＤアレイの各ＬＥＤ１０１の配列個数を増やして、感光体表面に照射される光量のムラを低減させた場合は、各ＬＥＤ１０１の配列個数の増大により除電装置のコストが高くなった。
【０００８】
また、特許文献１のように各ＬＥＤの出射光を光拡散板で拡散してから感光体表面に照射する場合は、光拡散板による光の拡散効果が低く、光量のムラを充分に低減させることができなかった。あるいは、光拡散板による光の拡散程度を増大させて、光量のムラを充分に低減させた場合は、光拡散板の拡散による光の損失が大きくなり、感光体表面に照射される光量が低下した。
【０００９】
そこで、本発明は、上記従来の問題点に鑑みなされたものであり、各ＬＥＤの配列個数を低減させながらも、感光体表面に照射される光量のムラを低減させることができ、かつ感光体表面に照射される光量の低下を抑えることが可能な除電装置及びそれを備えた画像形成装置を提供することを目的とする。
【課題を解決するための手段】
【００１０】
上記課題を解決するために、本発明の除電装置は、配列された複数のＬＥＤを備え、前記各ＬＥＤの出射光を感光体に照射する除電装置であって、前記各ＬＥＤを覆うカバー部材を備え、前記カバー部材は、前記各ＬＥＤの間を仕切るそれぞれの仕切り部と、前記各ＬＥＤから前記感光体への光路に配されたそれぞれの凹レンズ部とを有している。
【００１１】
このような本発明では、カバー部材により各ＬＥＤを覆って、カバー部材の各仕切り部により各ＬＥＤの間を仕切っているので、埃等により各ＬＥＤが汚れることはない。また、カバー部材の各凹レンズ部を各ＬＥＤから感光体への光路に配しているので、各凹レンズ部により各ＬＥＤの出射光を発散させて感光体表面の広い範囲に概ね均一なレベルで入射させ、感光体表面を略一様に除電することができる。これにより、感光体表面の電荷ムラを抑えて、感光体表面の電位分布を略一様にすることができ、感光体表面に形成されるトナー像の濃度ムラの発生を抑制することができる。また、各凹レンズ部は、透光性を有することから、各凹レンズ部を透過する光の損失が殆どなく、感光体表面に照射される光量の低下を抑えることができる。そして、各凹レンズ部により各ＬＥＤの出射光が発散されて感光体表面の広い範囲に概ね均一なレベルで入射し、かつ各凹レンズ部を透過する光の損失が殆どないことから、各ＬＥＤの配列個数をより低減させることが可能となり、部品点数及びコストの低減を図ることができる。
【００１２】
また、本発明の除電装置においては、前記各ＬＥＤから出射され前記各凹レンズ部を透過して前記感光体に照射されたそれぞれの光の照射領域が、互いに重なり合っている。
【００１３】
各凹レンズ部により各ＬＥＤの出射光を発散させても、感光体に照射されたそれぞれの光の照射領域の周縁部では光量が低下する傾向にある。このため、感光体に照射されたそれぞれの光の照射領域を互いに重ね合わせて、各照射領域の周縁部の光量の低下を防止している。これにより、感光体表面の電位分布をより一様にすることができ、感光体表面に形成されるトナー像の濃度ムラの発生をより効果的に抑制することができる。
【００１４】
更に、本発明の除電装置においては、前記各凹レンズ部の光入射面及び光出射面には、それぞれの凹レンズが形成されている。
【００１５】
この場合は、各凹レンズ部による光の発散力が高くなり、感光体に照射されたそれぞれの光の照射領域をより広くすることができ、各ＬＥＤの配列個数をより低減させることが可能になる。あるいは、各ＬＥＤから感光体までの距離を短くして、除電装置を小型化し、延いては画像形成装置を小型化することができる。
【００１６】
一方、本発明の画像形成装置は、上記本発明の除電装置と、前記除電装置における各前記各ＬＥＤから出射され前記各凹レンズ部を透過したそれぞれの光が照射されて除電される感光体とを備えている。
【００１７】
このような本発明の画像形成装置においても、上記本発明の除電装置と同様の作用効果を奏する。
【発明の効果】
【００１８】
本発明では、カバー部材により各ＬＥＤを覆って、カバー部材の各仕切り部により各ＬＥＤの間を仕切っているので、埃等により各ＬＥＤが汚れることはない。また、カバー部材の各凹レンズ部を各ＬＥＤから感光体への光路に配しているので、各凹レンズ部により各ＬＥＤの出射光を発散させて感光体表面の広い範囲に概ね均一なレベルで入射させ、感光体表面を略一様に除電することができる。これにより、感光体表面の電荷ムラを抑えて、感光体表面の電位分布を略一様にすることができ、感光体表面に形成されるトナー像の濃度ムラの発生を抑制することができる。また、各凹レンズ部は、透光性を有することから、各凹レンズ部を透過する光の損失が殆どなく、感光体表面に照射される光量の低下を抑えることができる。そして、各凹レンズ部により各ＬＥＤの出射光が発散されて感光体表面の広い範囲に概ね均一なレベルで入射し、かつ各凹レンズ部を透過する光の損失が殆どないことから、各ＬＥＤの配列個数をより低減させることが可能となり、部品点数及びコストの低減を図ることができる。
【図面の簡単な説明】
【００１９】
【図１】本発明の除電装置の一実施形態を適用した画像形成装置を示す断面図である。
【図２】図１の画像形成装置における印刷部を拡大して示す断面図である。
【図３】本実施形態の除電装置を部分的に破断して示す斜視図である。
【図４】図３の除電装置を拡大して示す断面図である。
【図５】図３の除電装置の凹レンズを拡大して示す断面図である。
【図６】従来の除電装置の一例を示す斜視図である。
【発明を実施するための形態】
【００２０】
以下、本発明の実施形態を添付図面を参照して詳細に説明する。
【００２１】
図１は、本発明の除電装置の一実施形態を適用した画像形成装置を示す断面図である。この画像形成装置１は、複写機能、ファクシミリ機能、プリンタ機能、スキャナ機能等を有する複合機であり、原稿読取り装置２、印刷部（プリンタ）３、及び給紙部４等を備えている。
【００２２】
この画像形成装置１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、印刷部３においては、現像装置１２、感光体ドラム１３、ドラムクリーニング装置１４、帯電装置１５、及び除電装置１６を、各色に応じた４種類のトナー像を形成するためにそれぞれ４個ずつ設け、それぞれをブラック、シアン、マゼンタ、及びイエローに対応付けて、４つの画像ステーションＰａ、Ｐｂ、Ｐｃ、Ｐｄを構成している。
【００２３】
図２は、印刷部３の１つの画像形成ステーションを拡大して示す断面図である。図２に示すように画像ステーションＰａ、Ｐｂ、Ｐｃ、Ｐｄのいずれにおいても、感光体ドラム１３の周囲に、ドラムクリーニング装置１４、除電装置１６、帯電装置１５、及び現像装置１２が配置されており、感光体ドラム１３の回転に伴い、各装置１４、１６、１５、１２による処理が順次行われる。ドラムクリーニング装置１４は、感光体ドラム１３表面の残留トナーを除去及び回収する。除電装置１６は、感光体ドラム１３表面の電荷を除去する。帯電装置１５は、感光体ドラム１３の表面を所定の電位に均一に帯電させる。この後、光走査装置１１（図１に示す）により感光体ドラム１３表面に静電潜像が形成される。この光走査装置１１は、レーザダイオード及び反射ミラーを備えたレーザスキャニングユニット（ＬＳＵ）であり、帯電された各感光体ドラム１３表面を画像データに応じて露光して、それらの表面に画像データに対応する静電潜像を形成する。そして、現像装置１２は、感光体ドラム１３表面の静電潜像を現像して、感光体ドラム１３表面にトナー像を形成する。これにより、各画像ステーションＰａ、Ｐｂ、Ｐｃ、Ｐｄの感光体ドラム１３表面に各色のトナー像が形成される。
【００２４】
引き続いて、各感光体ドラム１３表面に各色のトナー像を中間転写ベルト２１に順次転写して重ね合わせ、中間転写ベルト２１上にカラーのトナー像を形成する。
【００２５】
図１に示すように中間転写ベルト装置２２は、各感光体ドラム１３の上方に配置されており、中間転写ベルト２１、ベルト駆動ローラ２３、従動ローラ２４、４つの中間転写ローラ２５、及びベルトクリーニング装置２６等を備えている。
【００２６】
ベルト駆動ローラ２３、従動ローラ２４、各中間転写ローラ２５等は、中間転写ベルト２１を張架して支持し、中間転写ベルト２１を矢印Ｃ方向に周回移動させる。また、各中間転写ローラ２４は、中間転写ベルト２１近傍に回転可能に支持され、中間転写ベルト２１を介してそれぞれの感光体ドラム１３に押圧されて、中間転写ベルト２１と各感光体ドラム１３の間にそれぞれのニップ域を形成する。更に、各中間転写ローラ２４には、トナー像を転写するために高電圧の転写バイアス（トナーの帯電極性（−）とは逆極性（＋）の高電圧）が印加されている。各中間転写ローラ２４は、各感光体ドラム１３表面のトナー像を中間転写ベルト２１に順次重ねて転写させ、中間転写ベルト２１上に各色のトナー像を形成する。
【００２７】
こうして各感光体ドラム１３表面の各色のトナー像は、中間転写ベルト２１で積層される。各色のトナー像は、中間転写ベルト２１と共に中間転写ベルト２１と２次転写装置３１の転写ローラ３１ａ間のニップ域へと搬送される。２次転写装置３１の転写ローラ３１ａには、中間転写ベルト２１上の各色のトナー像を記録用紙に転写させるための電圧（トナーの帯電極性（−）とは逆極性（＋）の高電圧）が印加されている。転写ローラ３１ａは、中間転写ベルト２１上の各色のトナー像を記録用紙に転写させて、記録用紙上にカラーのトナー像を形成する。
【００２８】
また、２次転写装置３１によって中間転写ベルト２１上の各色のトナー像が記録用紙上に完全に転写されず、中間転写ベルト２１上にトナーが残留することがある。このため、ベルトクリーニング装置２６によって残留トナーを除去及び回収している。
【００２９】
記録用紙は、中間転写ベルト２１と２次転写装置３１の転写ローラ３１ａ間のニップ域でカラーのトナー像を転写された後、定着装置３３へと搬送される。定着装置３３は、加熱ローラ３４及び加圧ローラ３５等を備えており、加熱ローラ３４と加圧ローラ３５間に記録用紙を挟み込んで搬送する。加熱ローラ３４は、所定の定着温度となるように制御されており、加圧ローラ３５と共に記録用紙を熱圧着することにより、記録用紙に転写されたカラーのトナー像を溶融、混合、圧接し、記録用紙に対して熱定着させる。
【００３０】
一方、給紙部４の給紙カセット４１は、画像形成装置１の下部に設けられて、給紙カセット４１内の記録用紙を供給する。また、手差しトレイ４２は、記録用紙を載置するためのトレイであり、画像形成装置１の側壁に設けられて、このトレイ内の記録用紙を供給する。
【００３１】
印刷部３には、給紙カセット４１又は手差しトレイ４２から供給された記録用紙を２次転写装置３１や定着装置３３を経由させて排紙トレイ４３に送るための、Ｓの字形状の用紙搬送経路Ｓが設けられ、この用紙搬送経路Ｓに沿って、レジストローラ４４、定着装置３３、搬送ローラ４５、及び排紙ローラ４６等が配置されている。
【００３２】
給紙カセット４１の端部には用紙ピックアップローラ４７が設けられており、この用紙ピックアップローラ４７により給紙カセット４１から記録用紙が１枚ずつ引出されて用紙搬送経路Ｓへと搬送される。また、手差しトレイ４２の端部にはピックアップローラ４８が設けられており、このピックアップローラ４８により手差しトレイ４２から記録用紙が１枚ずつ引出されて用紙搬送経路Ｓへと送り出される。
【００３３】
搬送ローラ４５は、記録用紙の搬送を促進補助するための小型のローラであり、複数組設けられている。レジストローラ４４は、搬送されて来た記録用紙を一旦停止させて、記録用紙の先端を揃え、中間転写ベルト２１と２次転写装置３１の転写ローラ３１ａ間のニップ域で中間転写ベルト２１上の各色のトナー像が記録用紙に転写されるように、各感光体ドラム１３及び中間転写ベルト２１の回転にあわせて、記録用紙をタイミングよく搬送する。
【００３４】
更に、記録用紙は、定着装置３３でカラーのトナー像を定着され、定着装置３３を通過した後、排紙ローラ４６によって排紙トレイ４３上にフェイスダウンで排出される。
【００３５】
また、記録用紙の表面だけではなく、裏面の印字を行う場合は、記録用紙を排紙ローラ４６により搬送する途中で、排紙ローラ４６を停止させてから逆回転させ、記録用紙を反転経路Ｓｒに通して、記録用紙の表裏を反転させ、記録用紙をレジストローラ４４へと導き、記録用紙の表面と同様に、記録用紙の裏面に画像を記録して定着し、記録用紙を排紙トレイ４３に排出する。
【００３６】
次に、画像形成装置１の本体上部に搭載された原稿読取り装置２を説明する。原稿読取り装置２において、原稿搬送部（ＡＤＦ）５２は、その奥一辺をヒンジ（図示せず）により原稿読取り部５３の奥一辺に枢支されており、その手前部分を上下させることにより開閉される。原稿搬送部５２が開かれたときには、原稿読取り部５３のプラテンガラス５４が開放され、このプラテンガラス５４上に原稿用紙が載置される。
【００３７】
原稿読取り部５３は、プラテンガラス５４、第１走査ユニット５５、第２走査ユニット５６、結像レンズ５７、及びＣＣＤ（Charge Coupled Device）５８等を備えている。第１走査ユニット５５は、副走査方向へと原稿用紙のサイズに応じた距離だけ移動しながら、プラテンガラス５４上の原稿用紙表面を光源６１によって照明し、その反射光を第１反射ミラー６２により反射して第２走査ユニット５６へと導く。第２走査ユニット５６は、第１走査ユニット５５に追従して移動しつつ、原稿用紙からの反射光を第２及び第３反射ミラー６３、６４により反射して結像レンズ５７へと導く。結像レンズ５７は、原稿用紙からの反射光をＣＣＤ５８に集光して、原稿用紙表面の画像をＣＣＤ５８上に結像させる。ＣＣＤ５８は、原稿用紙表面の画像を繰り返し主走査方向に走査し、その度に、１主走査ラインのアナログ画像信号を出力する。
【００３８】
また、原稿読取り部５３は、静止原稿だけではなく、原稿搬送部５２により搬送されている原稿用紙表面の画像を読取ることができる。この場合は、図１に示すように第１走査ユニット５５を原稿読取りガラス６５下方の読取り位置に移動し、第１走査ユニット５５の位置に応じて第２走査ユニット５６を位置決めし、この状態で、原稿搬送部５２による原稿用紙の搬送を開始する。
【００３９】
原稿搬送部５２では、ピックアップローラ７１を原稿トレイ７２上の原稿用紙に押し当て回転させて、原稿用紙を引き出し、原稿用紙を用紙搬送路７３を通じて搬送し、原稿用紙を原稿読取り部５３の原稿読取りガラス６５の上に通過させ、更に排紙ローラ７５から排紙トレイ７６へと搬送する。
【００４０】
この原稿用紙の搬送に際し、第１走査ユニット５５の光源６１により原稿用紙表面を原稿読取りガラス６５を介して照明し、原稿用紙からの反射光を第１及び第２走査ユニット５５、５６の各反射ミラーにより結像レンズ５７へと導き、原稿用紙からの反射光を結像レンズ５７によりＣＣＤ５８に集光させ、原稿用紙表面の画像をＣＣＤ５８上に結像させ、これにより原稿用紙表面の画像を読取る。
【００４１】
また、原稿用紙の裏面を読取る場合は、中間トレイ７７をその軸周りで点線で示すように回転させておき、原稿用紙を排紙ローラ７５から排紙トレイ７６へと排出する途中で、排紙ローラ７５を停止させて、原稿用紙を中間トレイ７７上に受け、排紙ローラ７５を逆回転させて、原稿用紙を反転搬送路７８を介して用紙搬送路７３へと導いて、原稿用紙の表裏を反転させ、原稿用紙表面の画像と同様に、原稿用紙裏面の画像を読取り、中間トレイ７７を実線で示す元の位置に戻して、原稿用紙を排紙ローラ７５から排紙トレイ７６へと排出する。
【００４２】
このようにＣＣＤ５８により読取られた原稿用紙の画像は、ＣＣＤ５８からアナログ画像信号として出力され、このアナログ画像信号がデジタル画像信号にＡ／Ｄ変換される。そして、このデジタル画像信号（画像データ）は、種々の画像処理を施されてから画像形成装置１の光走査装置１１に入力され、印刷部３で画像データによって示される画像が記録用紙に記録され、この記録用紙が出力される。
【００４３】
次に、本実施形態の除電装置１６の構成を詳しく説明する。図３は、本実施形態の除電装置１６を部分的に破断して示す斜視図である。また、図４は、除電装置１６を拡大して示す断面図である。
【００４４】
図３及び図４に示すように除電装置１６は、感光体ドラム１３の長手方向（主走査方向）に延在する基板８１と、基板８１上で間隔を開けて主走査方向に配列された複数のＬＥＤ８２と、各ＬＥＤ８２を覆う透明カバー８３と、遮光部材８４とを備えている。
【００４５】
ここでは、各ＬＥＤ８２の光軸が基板８１の搭載面と平行になるように各ＬＥＤ８２を基板８１に搭載し、各ＬＥＤ８２の光軸が感光体ドラム１３の軸方向に向けられている。各ＬＥＤ８２は、基板実装タイプのものである。また、例えば各ＬＥＤ８２の個数が１２個であり、各ＬＥＤ８２の配置間隔が３０ｍｍである。
【００４６】
透明カバー８３は、各ＬＥＤ８２を覆った状態で基板８１及び遮光部材８４に取り付けられて固定される。この透明カバー８３は、透明な合成樹脂を成形した一体のものであり、基板８１の搭載面に対向する側壁板８３ａと、各ＬＥＤ８２を仕切る複数の仕切り板８３ｂと、各ＬＥＤ８２の光軸が通る複数の凹レンズ部８３ｃとを有する。側壁板８３ａ、各仕切り板８３ｂ、各凹レンズ部８３ｃ、及び遮光部材８４により基板８１の搭載面に搭載された各ＬＥＤ８２が封じ込まれるので、画像形成装置１内の埃やトナーが各ＬＥＤ８２に付着することはない。
【００４７】
また、各凹レンズ部８３ｃは、各ＬＥＤ８２から感光体ドラム１３への光路に配置されている。従って、各ＬＥＤ８２の出射光は、各凹レンズ部８３ｃを透過して感光体ドラム１３に入射し、感光体ドラム１３表面を照射する。これにより、感光体ドラム１３表面が除電される。
【００４８】
図４に示すように各凹レンズ部８３ｃは、各ＬＥＤ８２の出射光を発散してから感光体ドラム１３表面に入射させる。このため、各ＬＥＤ８２の出射光が照射される感光体ドラム１３表面のそれぞれの照射領域Ｊが広がり、各ＬＥＤ８２の光軸方向の光強度と光軸方向から外れた方向の光強度との差が小さくなり、感光体ドラム１３表面が概ね均一な光量で照明され、感光体ドラム１３表面を略一様に除電することができる。これにより、感光体ドラム１３表面の電荷ムラを抑えて、感光体ドラム１３表面の電位分布を略一様にすることができ、感光体ドラム１３表面に形成されるトナー像の濃度ムラの発生を抑制することができる。
【００４９】
また、各凹レンズ部８３ｃは、透光性を有することから、各凹レンズ部８３ｃを透過する光の損失が殆どなく、感光体ドラム１３表面に照射される光量の低下を抑えることができる。そして、各凹レンズ部８３ｃにより各ＬＥＤ８２の出射光が発散されて感光体ドラム１３表面が概ね均一な光量で照明され、かつ各凹レンズ部８３ｃを透過する光の損失が殆どないことから、各ＬＥＤ８２の配列個数を低減させても、感光体ドラム１３表面を充分な光量で照明することができ、部品点数及びコストの低減を図ることができる。
【００５０】
更に、各凹レンズ部８３ｃにより各ＬＥＤ８２の出射光を発散させても、感光体ドラム１３表面に照射されたそれぞれの光の照射領域Ｊの周縁部では光量が低下する傾向にある。このため、感光体ドラム１３表面に照射されたそれぞれの光の照射領域Ｊの周縁部を互いに重ね合わせて、各照射領域Ｊの周縁部での光量の低下を抑えている。これにより、感光体ドラム１３表面の電位分布をより一様にすることができ、感光体ドラム１３表面に形成されるトナー像の濃度ムラの発生をより効果的に抑制することができる。
【００５１】
また、各凹レンズ部８３ｃの光入射面８３ｄ及び光出射面８３ｅは、いずれも凹レンズを形成している。ここでは、図５に示すように光入射面８３ｄの曲率半径Ｒ１を光出射面８３ｅの曲率半径Ｒ２よりも小さくしている。
【００５２】
このように各凹レンズ部８３ｃの光入射面８３ｄ及び光出射面８３ｅのいずれも凹レンズにすると、各凹レンズ部８３ｃによる光の発散力が大きくなり、各ＬＥＤ８２の出射光が照射される感光体ドラム１３表面のそれぞれの照射領域Ｊがより広がり、各ＬＥＤ８２の配列個数をより低減させることが可能になる。あるいは、感光体ドラム１３表面のそれぞれの照射領域Ｊを適宜に維持しながらも、各ＬＥＤ８２から感光体ドラム１３表面までの距離を短くすることができるので、除電装置１６を小型化し、延いては画像形成装置１を小型化することができる。
【００５３】
尚、上記実施形態では、各凹レンズ部８３ｃの光入射面８３ｄ及び光出射面８３ｅのいずれも凹レンズにしているが、光入射面８３ｄ及び光出射面８３ｅのいずれか一方のみを凹レンズにしても構わない。
【００５４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００５５】
１  画像形成装置
２  原稿読取り装置
３  印刷部
４  給紙部
１１  光走査装置
１２  現像装置
１３  感光体ドラム
１４  ドラムクリーニング装置
１５  帯電装置
１６  除電装置
２１  中間転写ベルト
２２  中間転写ベルト装置
２５  中間転写ローラ
２６  ベルトクリーニング装置
３１  ２次転写装置
３３  定着装置
４１  給紙カセット
５２  原稿搬送部
５３  原稿読取り部
８１  基板
８２  ＬＥＤ
８３  透明カバー（カバー部材）
８３ａ  側壁板
８３ｂ  仕切り板（仕切り部）
８３ｃ  凹レンズ部
８３ｄ  光入射面
８３ｅ  光出射面
８４  遮光部材
【図１】
2013164964.tif 000003
【図２】
2013164964.tif 000004
【図３】
2013164964.tif 000005
【図４】
2013164964.tif 000006
【図５】
2013164964.tif 000007
【図６】
2013164964.tif 000008